(57)【要約】【課題】溶損することなく、緩慢燃焼による火炎の位置や向きの調整が容易な蓄熱式バーナの緩慢燃焼用燃料供給管を提供する。【解決手段】炉内１０に燃料を供給する燃料供給管７ａを耐熱性セラミックスで構成するとともに、前記燃料供給管７ａにパージ空気を供給するパージ空気供給管７ｃを、その先端を前記燃料供給管７ａの先端よりも内側にして、前記燃料供給管７ａの内部に配設する。なお、炉壁１に取り付けられる筒状の基部材７ｂの内部に、燃料供給管７ａを遊挿し、基部材７ｂの内周面と燃料供給管７ａの外周面を密封するシール部材７ｄを燃料供給管７ａに環着し、燃料供給管７ａを基部材７ｂ内で揺動させる角度調節手段７ｅを設けることが好ましい。【選択図】図２
2008232475.tif 000002
【特許請求の範囲】
【請求項１】
炉壁に開口させて配設された、内部を燃焼用空気及び排気ガスが流通するバーナ本体と、このバーナ本体の内部に蓄熱体が配設された蓄熱部と、この蓄熱部を通じて給気される燃焼用空気に直接燃料を供給する燃料供給管を有し、前記燃料供給管から供給される燃料を、前記蓄熱部を通じて予熱された燃料用空気と混合させて燃焼させ、この際に生成される排気ガスを、前記蓄熱部を通じて排気し、この排気と前記燃焼を交互に繰り返して運転する蓄熱式バーナと組み合わせて使用され、炉内温度が燃料の自着火温度に達した時に、炉内に燃料を供給して炉内ガスと混合させて緩慢燃焼をさせる蓄熱式バーナの緩慢燃焼用燃料供給管において、
炉内に燃料を供給する燃料供給管を耐熱性セラミックスで構成するとともに、前記燃料供給管にパージ空気を供給するパージ空気供給管を、その先端を前記燃料供給管の先端よりも内側にして、前記燃料供給管の内部に配設したことを特徴とする蓄熱式バーナの緩慢燃焼用燃料供給管。
【請求項２】
炉壁に対する燃料供給管の角度を調節する角度調節手段を設けたことを特徴とする請求項１に記載の蓄熱式バーナの緩慢燃焼用燃料供給管。
【請求項３】
角度調節手段は、炉壁に取り付けられる筒状の基部材の内部に、燃料供給管を遊挿し、基部材の内周面と燃料供給管の外周面とを密封するシール部材を、燃料供給管に環着し、前記燃料供給管を前記基部材内で揺動させる角度調節機構を設けることにより実現したことを特徴とする請求項２に記載の蓄熱式バーナの緩慢燃焼用燃料供給管。
【発明の詳細な説明】
【技術分野】
【０００１】
本発明は、工業用燃焼炉に用いる蓄熱式バーナの緩慢燃焼用燃料供給管の改良に関するものである。
【背景技術】
【０００２】
近年、工業用燃焼炉には燃費を向上させるために、蓄熱式バーナが用いられている。この蓄熱式バーナは、特許文献１や特許文献２に示されるように、バーナの給排気経路に蓄熱体を備えたバーナであり、３０秒程度の比較的短い周期で交互に燃焼と排気を繰り返し、燃焼ガスの保有熱を給排気側のバーナの蓄熱体により回収し、燃焼側のバーナでは燃焼用空気を蓄熱体に通して予熱することにより、高い熱効率を達成することができるようにしたものである。
【０００３】
ところが、燃焼用空気を予熱して燃焼させるため、燃焼温度が高温（例えば２４００℃）になることから、空気中の窒素と酸素が反応して窒素酸化物が発生してしまう。このため、特許文献３や特許文献４に示されるように、炉内の温度が燃料の自着火温度以上になった場合に、炉内に開口させた燃料供給部を用いて、炉内で緩慢燃焼を行わせ、燃焼温度を低下させて、窒素酸化物の発生を抑制する方法がある。
【０００４】
この緩慢燃焼を利用した蓄熱式バーナは、図３に示されるように、燃焼用空気及び排気ガスが流通し、炉内５６に開口させて炉壁５４に配設したバーナ本体５１と、バーナ本体５１の内部に配設された蓄熱体５２と、バーナ本体５１に開口させて配設した第一の燃料供給管５３と、炉内５６に開口させて炉壁５４配設した金属製の第二の燃料供給管５５とから構成されている。
【０００５】
運転開始時には、第一の燃料供給管５３にのみ燃料を供給して、燃焼させるが、炉内５６の温度が燃料の自着火温度以上（例えば、８００℃以上）に達した場合には、第一の燃料供給管５３からの燃料の供給を停止し、第二の燃料供給管５５（緩慢燃焼用燃料供給管）から燃料を炉内５６供給することとしている。このように、燃料の自着火温度以上に達した炉内５６に、燃料を供給すると、燃料が着火し燃焼する。ところが、燃焼用空気が供給されるバーナ本体開口部５１ａから、第二の燃料供給管の開口部５５ａが離れた位置にあるので、燃料と燃焼用空気との混合が悪く、燃料が燃焼用空気と混合する前に、酸素濃度が低い炉内ガスと混合するので緩慢燃焼となる。
【０００６】
第二の燃料供給管５５は、炉内に曝されるため、１０００℃以上の高温炉で稼働させる場合には、図４に示されるように、二重管構造とし、内側に燃料を供給し、外側に冷却用空気を流通させて第二の燃料供給管５５冷却し、第二の燃料供給管５５を熱から保護して、溶解することを防止している。（特許文献４の段落００１６に記載）
【０００７】
しかしながら、この方法では、炉内が高温になる程、第２の供給管５５を冷却するための、相当量の冷却空気を供給する必要があり、相対的に蓄熱体５２を流通して予熱された燃焼用空気の供給量は減少することから、結果的に、蓄熱式バーナの熱回収性能が低下してしまうという問題があった。
【０００８】
また、冷却用空気を供給するブロアが故障する等のトラブルにより、冷却用空気が第二の燃料供給管５５に供給されなくなった場合には、瞬時に第二の燃料供給管５５が溶損してしまい、更に、その溶損片で炉内５６や被加熱物が汚染されてしまうという問題もあった。また、第二の燃料供給管５５が溶損しなくても、高温に曝されることから酸化してしまうという問題があった。
【０００９】
また、第二の燃料供給管５５からの燃料噴流が、バーナ本体５１からの燃焼用空気噴流の方向に対して、平行あるいはある角度で交差するように、第二の燃料供給管５５を設置するが、第二の燃料供給管５５から燃料を供給して、燃焼させた場合の火炎の位置や方向が、第二の燃料供給管５５の設置角度に非常に敏感である。火炎が直接非加熱物に当たると、被加熱物が割れたり変形したりする場合もあり、ある限られた空間内に火炎を納める必要がある。このため第二の燃料供給管５５の設置時の調整に非常に手間がかかるという問題があった。
【特許文献１】特公告昭５１−４７１３１号公報
【特許文献２】実公開平３−４６７４２号公報
【特許文献３】特公平７−２６７３０号公報
【特許文献４】特開平６−１５９６１３号公報
【発明の開示】
【発明が解決しようとする課題】
【００１０】
本発明は、上記問題を解決し、溶損することなく、緩慢燃焼による火炎の位置や向きの調整が容易な蓄熱式バーナの緩慢燃焼用燃料供給管を提供する。
【課題を解決するための手段】
【００１１】
上記問題を解決するためになされた本発明は、炉壁に開口させて配設された、内部を燃焼用空気及び排気ガスが流通するバーナ本体と、このバーナ本体の内部に蓄熱体が配設された蓄熱部と、この蓄熱部を通じて給気される燃焼用空気に直接燃料を供給する燃料供給管を有し、前記燃料供給管から供給される燃料を、前記蓄熱部を通じて予熱された燃料用空気と混合させて燃焼させ、この際に生成される排気ガスを、前記蓄熱部を通じて排気し、この排気と前記燃焼を交互に繰り返して運転する蓄熱式バーナと組み合わせて使用され、炉内温度が燃料の自着火温度に達した時に、炉内に燃料を供給して炉内ガスと混合させて緩慢燃焼をさせる蓄熱式バーナの緩慢燃焼用燃料供給管において、炉内に燃料を供給する燃料供給管を耐熱性セラミックスで構成するとともに、前記燃料供給管にパージ空気を供給するパージ空気供給管を、その先端を前記燃料供給管の先端よりも内側にして、前記燃料供給管の内部に配設したことを特徴とする。
【００１２】
なお、炉壁に対する燃料供給管の角度を調節する角度調節手段を設けることが好ましい。
【００１３】
また、角度調節手段は、炉壁に取り付けられる筒状の基部材の内部に、燃料供給管を遊挿し、基部材の内周面と燃料供給管の外周面とを密封するシール部材を、燃料供給管に環着し、前記燃料供給管を前記基部材内で揺動させる角度調節機構を設けることにより実現することが好ましい。
【発明の効果】
【００１４】
炉内に燃料を供給する燃料供給管を耐熱性セラミックスで構成すると、燃料供給管が溶損することがない。また、前記燃料供給管にパージ空気を供給するパージ空気供給管を、その先端を前記燃料供給管の先端よりも内側にして、前記燃料供給管の内部に配設したので、燃料が停止する排気時に燃料供給管内に滞留した燃料が急速に炭化することにより生じる燃料供給管の閉塞を防止することが可能となる。また、従来と比較して、緩慢燃焼用燃料供給管を冷却空気で冷却する必要がなく、そのかわりに導入される前記パージ空気はごく僅かな量であるため、蓄熱式バーナの熱回収性能が低下すること無くなり、蓄熱式バーナが高効率になる。
【００１５】
なお、炉壁に対する燃料供給管の角度を調節する角度調節手段を設けると、緩慢燃焼による火炎の位置や向きの調整が容易になる。
【００１６】
また、角度調節手段は、炉壁に取り付けられる筒状の基部材の内部に、燃料供給管を遊挿し、基部材の内周面と燃料供給管の外周面とを密封するシール部材を、燃料供給管に環着し、前記燃料供給管を前記基部材内で揺動させる角度調節機構を設けることにより実現すると、前記角度調節手段を操作するだけで、緩慢燃焼による火炎の位置や向きを調節することが可能となる。
【発明を実施するための最良の形態】
【００１７】
以下に、図面を参照しつつ本発明の好ましい実施の形態を示す。
図１は本発明の実施の形態を示す蓄熱式バーナの側断面図である。１は工業用燃焼炉の炉壁である。この炉壁１に、バーナ本体２が炉壁１に開口させて配設されている。このバーナ本体２の内部には、燃焼用空気及び排気ガスが流通する流通路２ａが形成されている。バーナ本体１は、耐火煉瓦やキャスタブル耐火性材料等の耐火性材料で構成されている。本実施形態では、バーナ本体２は、給排気口側が下側を向いた略Ｌ字形状をしている。
【００１８】
バーナ本体１の流通路２ａには、耐火性材料で構成された蓄熱体３が配設されて、蓄熱部４が構成されている。蓄熱体３は、例えば球形状や円筒形状の充填材で構成される。蓄熱体３は、蓄熱部４の底部に配設された金網で保持されるようになっている。燃焼用空気が蓄熱部４を流通しても、蓄熱体３はその自重により、炉内１０側に移動しないようになっている。
【００１９】
蓄熱部４と、バーナ本体２の開口端２ｂとの間の流通路２ａに開口するように、燃料供給管５が、バーナ本体２に配設されている。この燃料供給管５からは、液化石油ガス（ＬＰＧ）や液化天然ガス（ＬＮＧ）等の気体燃料が供給される。
【００２０】
炉壁１には、炉内１０に開口するように、緩慢燃焼用燃料供給管７が配設されている。この緩慢燃料供給管７からは、液化石油ガス（ＬＰＧ）や液化天然ガス（ＬＮＧ）等の気体燃料が供給される。緩慢燃焼用燃料供給管７は、バーナ本体２から炉内１０に給気される燃焼用空気の噴流方向に対して平行もしくはある角度で交差するように燃料を噴出させるように配設されている。本実施形態では、バーナ本体２の炉内１０への開口端２ｂの両側に、緩慢燃焼用燃料供給管７の軸線方向と、バーナ本体２の流通路２ａ軸線方向が炉内１０で交差するように、緩慢燃焼用供給管７が配設されている。
【００２１】
図２に緩慢燃焼用燃料供給管７の詳細図を示す。図２に示されるように、この緩慢燃焼用燃料供給管７は、主に、燃料供給管７ａと、基部材７ｂと、パージ空気供給管７ｃと、シール部材７ｄと、角度調節機構７ｅから構成されている。
【００２２】
燃料供給管７ａは、耐熱性セラミックスで構成されている。本実施形態では、耐熱性セラミックスとして炭化珪素（ＳｉＣ）を使用するが、アルミナ、ムライト等の耐熱性セラミックスであっても差し支えない。
【００２３】
基部材７ｂは、筒状であり、炉壁１に取り付けられている。基部材７ｂの内部には、燃料供給管７ａが遊挿されて取り付けられている。基部材７ｂは、本実施形態では鉄鋼材等の金属製であるが、セラミックで構成することとしても差し支えない。基部材７ｂを金属で構成しても、炉壁１の温度は、約２００℃であるので溶損することはない。
【００２４】
シール部材７ｄは、基部材７ｂの内周面と、燃料供給管７ａの外周面とを密封するものであり、燃料供給管７ａに環着されている。本実施形態ではシリコーンやバイトン（登録商標）等の合成ゴムで構成されたＯリングである。なお、このシール部材７ｄが環着されている部分の温度は１００℃以下なので、シール部材７ｄが溶損することはない。
【００２５】
燃料供給管７ａ及び基部材７ｂの内部には、パージ空気供給管７ｃが配設されている。このパージ空気供給管７ｃは、燃料供給管７ａ内にパージ空気を供給するためのものである。このパージ空気供給管７ｃの先端は、燃料供給管７ａの先端よりも内側になっている。パージ空気供給管７ｃは、ステンレス等の金属で構成されているが、セラミックス製であっても差し支えない。なお、パージ空気供給管７ｃを、金属で構成しても、パージ空気供給管７ｃの先端は、燃料供給管７ａよりも内側であり、またパージ空気供給管７ｃの外周を燃料が流通し、もしくは、パージ空気供給管７ｃの内部をパージ空気が流通するので、パージ空気供給管７ｃが溶損することはない。
【００２６】
角度調節機構７ｅは、燃料供給管７ａを基部材７ｂ内で揺動させるものである。本実施形態では、角度調節機構７ｅは、基部材７ｂに螺入し、燃料供給管７ａを押圧するネジ式のものであるが、角度調節機構７ｅはこの方式に限定されず、燃料供給管７ａを基部材７ｂ内で揺動させ機構のものであればすべて含まれる。角度調節機構７ｅを操作することにより、炉壁１に対する燃料供給管７ａの角度を調節することが可能となる。本実施形態では、角度調節機構７ｅにより、燃料供給管７ａは基部材７ｂ内を約±３°揺動し、図２の２点鎖線で表されるように、燃料供給管７ａの口径分揺動するようになっている。
【００２７】
燃料は、基部材７ｂの燃料供給口７ｆから、基部材７ｂ内部に供給され、パージ空気供給管７ｃと燃料供給管７ａの間を導通して、炉内１０に供給されるようになっている。シール部材７ｄが、基部材７ｂの内周面と、燃料供給管７ａの外周面とを密封するので、燃料供給管７ａが基部材７ｂ内で揺動する構造であっても燃料が漏洩することがない。
【００２８】
蓄熱部４の底部は給排気口６となっている。この給排気口６から燃料用空気が流通路２ａを通じて炉内１０に給気され、排気ガスが排気される。炉外に設けられたブロア（図示せず）稼働させて、切替バルブ８を所定時間（例えば３０秒）切り替えることにより、燃料用空気の給気及び、排気ガスの排気が交互に行われるようになっている。
【００２９】
炉内温度が燃料の自着火温度以下の場合（７００°〜１０００°以下、本実施形態では８５０°以下）には、ブロアを稼働させて、燃焼用空気を、給排気口６から流通路２ａに供給し、燃料供給管５から供給される燃料（以下「第一の燃料」とする）を燃焼させる。「第一の燃料」は、蓄熱部４を通じて供給される燃焼用空気と直接混合し、燃焼する。
この際には、緩慢燃焼用燃料供給管７からは燃料を供給させずに、燃料供給管５のみから燃料が供給されるようになっている。
【００３０】
所定時間が経過すると、切替バルブ８を切り替えて、ブロアを稼働させて給排気口６から、前記燃焼により生成される排気ガスを吸引して、排気ガスを炉外に排気する。この際、高温の排気ガスが蓄熱部４を流通し、蓄熱部４の内部に充填された蓄熱体３の表面と前記排気ガスが接触することにより熱交換が行われて、蓄熱体３が加熱されて蓄熱される。
【００３１】
所定時間が経過した後には、再び切替バルブ８を切り替えて、給排気口６から燃焼用空気を給気する。この際に、蓄熱部４を燃焼用空気が流通して、蓄熱された蓄熱体３の表面と接触することにより、燃焼用空気が熱交換されて予熱されて、流通路２ａ内の燃料供給管５の開口部分に供給される。このように、排気と燃焼を交互に繰り返して運転して、燃焼排ガスの保有熱を蓄熱体３により回収し、燃焼用空気を蓄熱体３に通して予熱することにより、高い熱効率を達成することができ燃費が向上する。
【００３２】
このように、排気と燃焼を繰り返す運転をすることにより、炉内温度が燃料の自着火温度以上に達した場合には、緩慢燃焼用燃料供給管７から炉内１０に燃料を所定時間供給する。この燃料は、炉内ガスと混合し、自着火温度以上であるので燃焼する。しかし、炉内ガスには、燃焼後に生じる不活性ガスである二酸化炭素（ＣＯ２）等の排気ガスが含まれることから、酸素濃度が低く、緩慢燃焼用燃料供給管７から供給される燃料（以下「第二の燃料」とする）は、緩慢燃焼することとなる。このように、蓄熱式バーナと組み合わせて使用される、「第二の燃料」を炉内１０に供給する緩慢燃焼用供給管７を設けると、「第二の燃料」は、緩慢燃焼するので、火炎に局部的に高温となる部分がなく、窒素酸化物（一酸化窒素(ＮＯ)、二酸化窒素(ＮＯ２)、亜酸化窒素（一酸化二窒素）(Ｎ２Ｏ)等を含む、ＮＯｘともいう）の発生を抑制することが可能となる。
【００３３】
所定時間経過した後には、切替バルブ８を切り替えて、ブロアを稼働させて給排気口６から、前記緩慢燃焼により生成される排気ガスを吸引して、排気ガスを蓄熱部４を通じて炉外に排気する。この排気と緩慢燃焼を交互に繰り返して運転する。
【００３４】
なお、本実施形態では、「第二の燃料」と混合する炉内ガスの酸素濃度が極端に低下することを防止するために、バーナ本体２から炉内１０に給気される燃焼用空気の噴流方向に対してある角度で交差するように燃料を噴出させるように、緩慢燃焼用燃料供給管７を炉壁１に配設している。このようにすることにより、「第二の燃料」が不完全燃焼をして、一酸化炭素（ＣＯ）等が発生することを防止している。
【００３５】
炉内温度が、燃料の自着火温度以下になった場合には、緩慢燃焼用燃料供給管７から、「第二の燃料」の供給を停止して、燃料供給管５のみから「第一の燃料」を供給する。なお、本明細書中の「燃料の自着火温度」とは、「第二の燃料」の不完全燃焼を防止するために、実際の燃料の自着火温度よりやや高温（８００℃〜１０００℃）の温度を含む温度である。
【００３６】
セラミックス焼成用の工業用炉の場合には、炉内温度が１６００℃以上の高温になる場合もある。しかし、本発明では、緩慢燃焼用燃料供給管７を耐熱性セラミックスで構成したので、高温により溶損することも酸化することもない。燃料供給管７ａ内にはパージ空気供給管７ｃからパージ空気を供給することとしたので、燃料が停止する排気時に燃料供給管７ａ内で滞留した「第二の燃料」が、高温により炭化して、燃料供給管７ａを閉塞してしまうことを防止することが可能となる。なお、炉内温度が１５００℃以上の高温になると、「第二の燃料」の供給の停止時に、燃料供給管７ａ内にパージ空気を供給しない場合には、約１５分で燃料供給管７ａが閉塞してしまうこともあったので、本発明のように、燃料供給管７ａ内にパージ空気を供給する効果は絶大である。
【００３７】
燃料供給管７a内をパージするのに必要な空気量は、例えば、２０万ｋｃａｌ／ｈｒの蓄熱式バーナで、２つの緩慢燃焼用燃料供給管を有する場合ならば、１つの緩慢燃焼用燃料供給管の内容積は約３０ｃｃ程度であり、これを１０倍量でパージするとしても約３００ｃｃ程度でよい。このときパージ空気の供給は、燃料が停止した瞬間にだけ前記容量の空気をパルス的に供給してもよい。あるいは必要なパージ空気量は非常に少ないので、燃料の供給／停止に拘らず、常時一定量のパージ空気を燃料供給管７ａ内に供給してもよい。その場合、必要な常時パージ空気量は１Ｎｍ３／ｈｒ（Ｎ：ノルマル、規定度、温度が0℃、圧力が１気圧の状態に換算した気体の体積）以下である。
従来では、金属製の緩慢燃焼用燃料供給管の溶損を防止するために、同じ２０万ｋｃａｌ／ｈｒのバーナで、２つの緩慢燃焼用燃料供給管を有する場合に、１つの緩慢燃焼用燃料供給管には、約２５Ｎｍ３／ｈｒの冷却空気を供給していた。これと比較して、本発明ではパージ空気の供給はごくわずかで済むため、蓄熱式バーナの熱回収性能が低下することがなく、蓄熱式バーナが高効率になる。
【００３８】
また、炉壁１に対する燃料供給管７ａの角度を調節する角度調節手段を、炉壁１に取り付けられる筒状の基部材７ｂの内部に、燃料供給管７ａを遊挿し、基部材７ｂの内周面と燃料供給管７ａの外周面とを密封するシール部材７ｄを、燃料供給管７ａに環着し、燃料供給管７ａを基部材７ｂ内で揺動させる角度調節機構７ｅを設けることにより実現したので、緩慢燃焼用燃料供給管７を工業用炉に設置した後であっても、角度調節機構７ｅを操作するだけで、炉壁１に対する燃料供給管７ａの角度を調節することができ、緩慢燃焼による火炎をある限られた範囲に収めることが可能となる。
【００３９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う蓄熱式バーナの緩慢燃焼用燃料供給管もまた技術的範囲に包含されるものとして理解されなければならない。
【図面の簡単な説明】
【００４０】
【図１】蓄熱式バーナの断面図である。
【図２】本発明の実施の形態を示す緩慢燃焼用燃料供給管の断面図である。
【図３】従来の蓄熱式バーナの断面図である。
【図４】従来の緩慢燃焼用燃料供給管の断面図である。
【符号の説明】
【００４１】
１      炉壁
２      バーナ本体
２ａ    流通路
２ｂ    開口端
３      蓄熱体
４      蓄熱部
５      燃料供給管
６      給排気口
７      緩慢燃焼用燃料供給管
７ａ    燃料供給管
７ｂ    基部材
７ｃ    パージ空気供給管
７ｄ    シール部材
７ｅ    角度調節機構
７ｆ    燃料供給口
８      切替バルブ
１０    炉内
５１    バーナ本体
５１ａ  バーナ本体開口部
５２    蓄熱体
５３    第一の燃料供給管
５４    炉壁
５５    第二の燃料供給管
５６    炉内
【図１】
2008232475.tif 000003
【図２】
2008232475.tif 000004
【図３】
2008232475.tif 000005
【図４】
2008232475.tif 000006
【手続補正書】
【提出日】平成19年3月22日(2007.3.22)
【手続補正１】
【補正対象書類名】特許請求の範囲
【補正対象項目名】請求項１
【補正方法】変更
【補正の内容】
【請求項１】
炉壁に開口させて配設された、内部を燃焼用空気及び排気ガスが流通するバーナ本体と、このバーナ本体の内部に蓄熱体が配設された蓄熱部と、この蓄熱部を通じて給気される燃焼用空気に直接燃料を供給する燃料供給管を有し、前記燃料供給管から供給される燃料を、前記蓄熱部を通じて予熱された燃焼用空気と混合させて燃焼させ、この際に生成される排気ガスを、前記蓄熱部を通じて排気し、この排気と前記燃焼を交互に繰り返して運転する蓄熱式バーナと組み合わせて使用され、炉内温度が燃料の自着火温度に達した時に、炉内に燃料を供給して炉内ガスと混合させて緩慢燃焼をさせる蓄熱式バーナの緩慢燃焼用燃料供給管において、
炉内に燃料を供給する燃料供給管を耐熱性セラミックスで構成するとともに、前記燃料供給管にパージ空気を供給するパージ空気供給管を、その先端を前記燃料供給管の先端よりも内側にして、前記燃料供給管の内部に配設したことを特徴とする蓄熱式バーナの緩慢燃焼用燃料供給管。
【手続補正２】
【補正対象書類名】明細書
【補正対象項目名】００１１
【補正方法】変更
【補正の内容】
【００１１】
上記問題を解決するためになされた本発明は、炉壁に開口させて配設された、内部を燃焼用空気及び排気ガスが流通するバーナ本体と、このバーナ本体の内部に蓄熱体が配設された蓄熱部と、この蓄熱部を通じて給気される燃焼用空気に直接燃料を供給する燃料供給管を有し、前記燃料供給管から供給される燃料を、前記蓄熱部を通じて予熱された燃焼用空気と混合させて燃焼させ、この際に生成される排気ガスを、前記蓄熱部を通じて排気し、この排気と前記燃焼を交互に繰り返して運転する蓄熱式バーナと組み合わせて使用され、炉内温度が燃料の自着火温度に達した時に、炉内に燃料を供給して炉内ガスと混合させて緩慢燃焼をさせる蓄熱式バーナの緩慢燃焼用燃料供給管において、炉内に燃料を供給する燃料供給管を耐熱性セラミックスで構成するとともに、前記燃料供給管にパージ空気を供給するパージ空気供給管を、その先端を前記燃料供給管の先端よりも内側にして、前記燃料供給管の内部に配設したことを特徴とする。
【手続補正３】
【補正対象書類名】明細書
【補正対象項目名】００２８
【補正方法】変更
【補正の内容】
【００２８】
蓄熱部４の底部は給排気口６となっている。この給排気口６から燃焼用空気が流通路２ａを通じて炉内１０に給気され、排気ガスが排気される。炉外に設けられたブロア（図示せず）稼働させて、切替バルブ８を所定時間（例えば３０秒）切り替えることにより、燃焼用空気の給気及び、排気ガスの排気が交互に行われるようになっている。